(57)【要約】【課題】パターのアドレスで、ボールに対する頭の位置とその頭の位置によるパターのライ角度を一定にセットするパター構造を提供する。【解決手段】パター１ｂのシャフト２ｂ下方の任意の位置には、目印９ａが設けられ、その目印９ａとパターのヘッド４ａのヘッド上面８を目線１２ｂで結び、前記ヘッド上面８の目線先位置１４ａと、頭の位置の移動による目線１２ｅと、その目線１２ｅで結んだ目印９ａ下方の目線先位置１４ｂには目線先位置移動幅１５が生ずる。したがってパター１ｂのライ角度１３ａを一定にした場合の頭の動き具合を知ることとなる。また、頭の位置を一定にライ角度が変わった場合においても目印９ａを支点とした目線方向が変わるのでライ角度の変更具合を知ることとなる。【選択図】  図２
2005143557.tif 000002
【特許請求の範囲】
【請求項１】
ゴルフクラブの内パターのアドレス時において、パターのライ角度及び頭部位置検出用目印をパターを形成するシャフト下方の任意の高さ位置に設けたパター。
【請求項２】
前記目印はパターを形成するシャフトの形状の外面から突起した形状に設けられ、その突起形状の少なくとも一部がパターを形成するヘッド上面の任意の位置にアドレスの目線上で重なる状態に設けられたことを特徴とする請求項１記載のパター。
【請求項３】
前記シャフトに突起形状に設けられた目印の少なくとも先端部分の取り付け方向は、パターヘッドのフェースと直角のライン方向と平行方向に向けて設けられたことを特徴とする請求項１又は２記載のパター。
【請求項４】
前記目印は、パターのネックの内ヘッド上方のネック上端側に設けられたことを特徴とする請求項１〜３のいずれか１項に記載のパター。
【請求項５】
前記目印は、少なくとも一部が磁石からなり、パターのシャフト又はネックに着脱スライド自在の吸着状態に設けられたことを特徴とする請求項１〜４のいずれか１項に記載のパター。
【請求項６】
前記シャフト又はネックに目印を設けたパターには、前記目印と目線上で重なるパターを形成するヘッドの、そのヘッド上面に着色構造に印が設けられ、その印はヘッド上面の内ヒール側の、任意の広さに設けられたことを特徴とする請求項１〜５のいずれか１項に記載のパター。
【請求項７】
パターを形成するヘッドのフェースの内スイートスポット位置には着脱自在の吸着状態にボールの打点となる任意の大きさと厚みのスポット具が取り付けられたパター。
【請求項８】
前記スポット具が取り付けられたフェースの裏側には、ヘッドに埋込んで前記スポット具を吸着する少なくとも一部が磁石からなるスポット具受け材が取り付けられたことを特徴とする請求項７記載のパター。
【請求項９】
前記スポット具が取り付けられたフェースの裏側には、ヘッドに埋込んで前記スポット具を吸着状態にする磁力を通しやすい金属からなるスポット具受け材が取り付けられたことを特徴とする請求項７記載のパター。
【請求項１０】
前記パターに埋込んで取り付けられたスポット具受け材は、ヘッドのスィートスポットと同軸に設けられたことを特徴とする請求項７〜９のいずれかに１項に記載のパター。
【請求項１１】
前記パターを構成するヘッドのフェースに取り付けられるスポット具の少なくとも一部が磁力で形成されたことを特徴とする請求項７〜１０のいずれか1項に記載のパター。
【請求項１２】
前記パターを構成するヘッドのフェースに取り付けられるスポット具の少なくとも一部が磁力を通しやすい金属で形成されたことを特徴とする請求項７，８又は１０のいずれか1項に記載のパター。
【発明の詳細な説明】
【技術分野】
【０００１】
本発明は、パターにおいて頭の位置やクラブのライ角度を一定に保ちながらスイートスポットで球を捕らえる主に練習に供することに関する。
【背景技術】
【０００２】
従来のクラブではライ角度を知る為にシャフト（ネックを含む）下部がアドレス時において目線方向の上方側に一定の長さ伸延した構造のものがある。
【０００３】
またスイートスポットで球を捕らえる練習をする為にヘッドの形状が球体になったパターがある。
【発明の開示】
【発明が解決しようとする課題】
【０００４】
しかし、ライ角度に知る為に従来のヘッドより目線方向の上方に伸延するシャフト（ネックを含む）の直線長さは規則上一定の長さ（１２７ｍｍ）以下である為、伸延部と目線との重なり具合が分かりにくく、又ライ角度は各プレーヤーで個人差が有りそれに対応しにくかった。
【０００５】
また、スイートスポットでボールを捕らえる為に球体のヘッドのパターでは、専用のクラブを用意しなくてはならず日頃使用するクラブでの練習ができず不便であり、クラブの使用感覚の上でも問題点があった。
【課題を解決するための手段】
【０００６】
本発明は、頭の位置とパターのライ角度を常に一定した位置にセットしやすくする為に、パターのヘッド上面の内ヒール側のヘッド上面の任意の位置をアドレス時の目線で結び、その目線上で交わるシャフト位置に目線上の支点となる目印を設けている。（図１参照）
【０００７】
前記支点となる目印は、シャフト又はネックの外周面から外側に突起した構造をなし、その突起方向はフェースと直角のラインと平行方向に設けられている。（図５〜８参照）
【０００８】
前記突起形状の目印は、シャフトに吸着状態でスライド着脱自在に設けられている。（図７，８参照）
【０００９】
前記目線上で支点となるシャフト又はネックの目印に対し、その目印下方の目線先位置となるヘッド上面の任意の広さには、着色してなる印が設けられている。（図３，６，８参照）
【００１０】
前記シャフト又はネックに設けられている目印を支点とした目線方向において、たとえば頭部位置が通常よりスタンス寄りに位置する場合、目線方向もスタンス寄りとなり、目印下方のヘッド上面の目線先位置は、頭の動いた方向とは逆の方向位置に移ることとなる。（図２，３参照）
【００１１】
又、頭部位置を一定に保った状態でパターのライ角度が大きくなった場合においては、シャフト又はネックに設けられている目印はライン寄りに近くなる。よって、目印を支点にした目線方向は直立方向に立ってくることとなり、目印下方のヘッド上面の目線先位置がライン寄りに移動することとなる。（図４参照）
【００１２】
ボールをパターのスイートスポットで捕らえているかを知る為に本発明では、フェースのスイートスポット位置に吸着状態にスポット具を着脱自在に設けている。（図９参照）
【００１３】
そのスポット具を取り付ける為に、ヘッドの背面側にはスイートスポットと同軸方向に磁石又は磁力を容易に通す金属からなるスポット具受け材が納置され、磁石又は磁力を容易に通す金属からなるスポット具を吸着状態に取り付けている。（図９，１０参照）
【００１４】
前記ヘッドに納置されたスポット具受け材の一端は、フェースにできるだけ近い位置に配置されている。（図９参照）
【００１５】
前記フェースに取り付けられたスポット具のボールと接する表面形状は球状又はフェースと平行なフラット面を有する構造になっている。（図９〜１１参照）
【発明の効果】
【００１６】
本発明のパターでは、シャフト又はネックに設けられている目線上で支点となる目印の下方のヘッド上面の目線先位置（目印と重なるヘッド上面の位置又はその直近位置）が、パターのライ角度の変化によって移動する。したがって、一定した頭部の位置にあっては、パターのライ角度の状態を容易に知ることが可能となる。（図４参照）
【００１７】
また、パターのライ角度を一定に保った状態では、頭の位置が変わると目線方向が変わりシャフト又はネックの目印先のヘッド上面の目線先位置が移動する。よって目線先の移動具合で頭の位置状態を容易に知ることが可能となる。（図２，３参照）
【００１８】
そして、ヘッド上面に設けられている着色からなる印は、シャフト又はネックに設けられている目印を、ヘッド上面の印に対して確認しやすい配色の印となっている。（図３，６，８参照）
【００１９】
また、突起構造の目印では、その目印の形状の全部又は一部が目線上でパターのヘッド上面の着色部からなる印部に重なるので、より正確に目線上で目印の動き具合を知ることができるものである。（図６参照）
【００２０】
また、スライド構造のスライド目印においては、頭の位置とライ角度の調整をする場合、ヘッド上面の印の最も分りやすい位置にスライド目印を目線上で重なる様に調整可能にしている。また、プレーヤーの身長等の個人差による調整も容易にする効果も有している。（図７，８参照）
【００２１】
また、パターのヘッドのフェースにスポット具を設けると、スイートスポットで球を捕らえたが否かを容易に知ることを可能にしている。すなわち、フェースよりわずかに突起した比較的小さい構造で設けられているのでスポット具の中心近くでボールを打たないと、ボールの強さと方向は不規則な状態の転がり方をすることとなる。（図１１参照）
【００２２】
そして、パターのヘッドに埋込んで設けられている磁石又は磁力を通す金属からなるスポット具受け材は、スイートスポットと同軸位置にあるのでスポット具を用意にフェースのスイートスポット位置に吸着して取り付けることができる。（図９，１０参照）
【００２３】
また、スポット具は吸着構造である為、着脱自在で不使用時には、ヘッドの背面側に吸着状態に収納することも容易な構成である。（図９参照）
【００２４】
そして、ヘッド内にも埋込んで配置されるスポット具受け材は、ヘッドの構造物内にコンパクトな状態で取り付けられているので、パターのヘッドの外観や機能を損うことなくスポット具を容易に取り付けられる構成となっている。（図９参照）
【発明を実施するための最良の形態】
【００２５】
シャフト又はネックに設けられる目印の高さ位置は、ヘッド上面より出来るだけ高い位置にして目印を支点にした下方の目線長さを長い構成にする程目線先位置の移動幅を大きくして分かりやすいものにする。なお、ゴルフ規則ではヘッドのソールから上方に１２７ｍｍを限度とし、その上方のシャフトは直線構造でなければならないとされている。
【００２６】
ヘッド上面の印の配色は、シャフト又はネックに設けられている目印の色と見分けの付きやすい色で背景の緑色に対して目立つ明るい白などの色が好ましい。
【００２７】
ヘッド内に埋込まれて取り付けられているスポット具受け材の一端は出来るだけフェースに近い状態取り付けて、スポット具との間で強い吸引力を得るようにすると、フェースのスイートスポットの中心部により強い力が働き容易にスポット具をスイートスポットに取り付けることが可能である。
【００２８】
スポット具の打点となる先端部の平面部大きさを小さくする程、真芯でボールを捕らえる練習が可能となり、スポット具の打点部の形状を種々設けたスポット具を用いて、プレーヤーのレベルに合った練習ができる効果を有する。
【実施例１】
【００２９】
図１は、本発明に係わるパターのアドレスの練習の全体構成を示している。特願２００３−２０７８０８の図２９，５５，５６の内図２９の自立マーカー支持スタンド１７を用い、図５５，５６で示す要領でマーカー１８と重錘２０とボール１６を目線１２ａ上で重ね合わせてボール１６の真上に頭の位置をセットし、ライ角度１３ａにセットされたパター１ｂにおいて、シャフト２ｂに設けられている目印９ａとヘッド上面８のヒール側の端部を目線１２ｂで結んでいる。
【実施例２】
【００３０】
図２及び図３では、ボール１６の真上にセットされた頭の位置とボール１６を結んだ目線１２ａと、ライ角度１３ａにセットされたパター１６のシャフト２ｂに設けられている目印９ａと、ヘッド上面８を目線１２ｂで結んでいる。そして、ライ角度１３ａの状態において、頭の位置をプレーヤー側に一定間隔動かした状態でボール１６を結ぶ目線１２ｄと、シャフト２ｂに設けられている目印９ａと、ヘッド上面８を目印１２ｅで結んだ状態において、目線１２ｂと目線１２ｅでは目印９ａを支点とした目線方向が変わり、ヘッド上面８の目線先位置１４ａから目線先位置１４ｂへと、頭の動いた方向とは逆方向に頭の動いた大きさに比例して目線先移動幅１５の大きさで移動する。そして、ヘッド４ａのヒール側端部の目線先位置１４ａ、１４ｂとなるヘッド上面８の任意の広さには、シャフト２ｂに設けられている目印９ａを認識しやすい着色からなる印１１が設けられた構成になっている。
【実施例３】
【００３１】
図４では、頭の位置を一定に保った状態において、パター１ｂのライ角度を変えた場合の目線方向と目線先位置の移動状態を示し、ライ角度１３ａにおけるシャフト２ｂに設けられている目印９ａ下方のヘッド上面８の目線先位置１４ａとライ角度１３ｂにおける目印９ａ下方の目線先位置１４ｃは、目線１２ｂ，１２ｃの方向が変わる分、目線先位置移動幅１５の距離移動している。
【実施例４】
【００３２】
図５及び図６では、パター１ｃを構成するシャフト２ｃの下方のネック３上端には、ネック外周面からフェースと直角のラインと平行の後方方向に伸延して突起する形状の目印９ｂが一体構造に設けられ、その目印９ｂの高さ位置は、アドレスの目線１２ｂ上でヘッド上面８の内ヒール側端部のヘッド上面８の一部と重なる高さに設けられ、目線１２ｂ上で目印９ｂに重なったヘッド上面８には、目印９ｂとの重なり状態を鮮明する配色からなる着色による任意の広さの印１１が設けられている。
【実施例５】
【００３３】
図７及び図８では、パター１ａを構成するシャフト２ａには、シャフト２ａに吸着して磁石体からなるスライド目印１０が着脱スライド自在に取り付けられ、ヘッド４ａ上面のヒール側に設けられている着色からなる印１１と前記スライド目印１０がアドレスの目線１２ｂ上で重なる位置にスライド目印１０位置をセットしやすい構成となっている。
【実施例６】
【００３４】
図９及び図１０では、パター１ｄを構成するヘッド４ｂの上面にはスイートスポット位置を示すスイートスポットマーク６が印され、そのマーク６と上下に重なる位置でスイートスポット３４と同軸位置に、少なくとも一部が磁石からなるスポット受け材３０又は磁力を通しやすい金属からなるスポット受け材３１がヘッド４ｂに埋め込んで納置されている。そして、前記スポット受け材３０，３１はフェース５とスポット受け材３０，３１の一端とわずかの間隔を有する形状になっている。そして、フェース５のスイートスポット３４位置には任意の大きさのゴルフボールの打点となる少なくとも一部が磁石からなるスポット具３２又は磁力を通しやすい金属からなるスポット具３３が吸着して取り付けられている。
【実施例７】
【００３５】
図１１では、パター１ｄのフェース５に吸着して取り付けられているスポット具３２，３３の打点面は平面形状の平面部３５を有し、その平面部３５でボール１６をヒットするとフェース５と直角のライン方向に打出され、前記平面部３５以外の所でヒットするとボール１６はライン方向と違った方向に打出される状態を示している。よって、平面部大きさ３６を小さくすればする程スイートスポットで球を捕らえる目的の使用に供することとなる。
【図面の簡単な説明】
【００３６】
【図１】本発明のアドレス練習の実施例を示す側面図である。
【図２】アドレスの変形例の実施例を示す一部側面図である。
【図３】図２のＹ１−Ｙ１線による矢視図である。
【図４】アドレスの変形例を示す一部側面図である。
【図５】本発明の実施例を示す一部拡大図である。
【図６】図５の目線方向から見たＹ２−Ｙ２線による矢視図である。
【図７】本発明の実施例を示す一部拡大図である。
【図８】図７の目線方向から見たＹ３−Ｙ３線による矢視図である。
【図９】本発明の実施例を示す一部平面図である。
【図１０】図９のＹ４−Ｙ４線による矢視図である。
【図１１】本発明の使用の実施例を示す一部平面図である。
【符号の説明】
【００３７】
１ａ：パター               １ｂ：パター
１ｃ：パター               １ｄ：パター
２ａ：シャフト                           ２ｂ：シャフト
２ｃ：シャフト                           ３：ネック
４ａ：ヘッド               ４ｂ：ヘッド
５：フェース               ６：スイートスポット
７：背面                   ８：ヘッド上面
９ａ：目印                 ９ｂ：目印
１０：スライド目印         １１：印
１２ａ：目線               １２ｂ：目線
１２ｃ：目線               １２ｄ：目線
１２ｅ：目線               １３ａ：ライ角度
１３ｂ：ライ角度           １４ａ：目線先位置
１４ｂ：目線先位置         １４ｃ：目線先位置
１５：目線先位置移動幅     １６：ボール
１７：自立マーカー支持スタンド                    １８：マーカー
１９：下げ振り                           ２０：重錘
３０：スポット具受け材     ３１：スポット具受け材
３２：スポット具           ３３：スポット具
３４：スイートスポット                   ３５：平面部
３６：平面大きさ
【図１】
2005143557.tif 000003
【図２】
2005143557.tif 000004
【図３】
2005143557.tif 000005
【図４】
2005143557.tif 000006
【図５】
2005143557.tif 000007
【図６】
2005143557.tif 000008
【図７】
2005143557.tif 000009
【図８】
2005143557.tif 000010
【図９】
2005143557.tif 000011
【図１０】
2005143557.tif 000012
【図１１】
2005143557.tif 000013